(57)【特許請求の範囲】
【請求項１】
上面が開口しその上面開口からワイヤハーネスおよび該ワイヤハーネスの外周に装着したコルゲートチューブが挿入される断面Ｕ字形の本体と、該本体の上に被せることで前記本体の上面開口を塞ぐ蓋体とを有し、
前記本体の内周と前記蓋体の内面に、前記コルゲートチューブの外周の凹溝に係合することで、該コルゲートチューブの軸方向の移動を規制する本固定リブが設けられ、
該本固定リブは、前記コルゲートチューブの１つ置いて離れた２つの前記凹溝に対応する位置に２条設けられ、
前記本体側の本固定リブは、対向側壁上の上半部の該本固定リブ間の間隔が一定寸法となるように、前記本体の内周に沿ってＵ字状に形成され、
前記本体の内周の対向側壁上に、前記２条の本固定リブの中間に位置させて、前記コルゲートチューブの外周の凹溝に係合する１条の仮固定リブが設けられ、
該仮固定リブは、前記コルゲートチューブの凹溝に係合することで、前記上面開口側へのコルゲートチューブの移動を仮固定できるように、対向側壁上の該仮固定リブ間の間隔が上に行くほど狭く形成され、
更に、前記仮固定リブとその両側の前記本固定リブとの間に、前記仮固定リブの係合する前記コルゲートチューブの凹溝の両隣りの凸条の外周面に押圧する押圧壁が設けられ、
該押圧壁は、前記コルゲートチューブの凸条の外周面に押圧することで、前記上面開口側へのコルゲートチューブの移動を仮固定できるように、対向側壁上の該押圧壁間の間隔が上に行くほど狭く形成されていることを特徴とするワイヤハーネス引出部構造。
【発明の詳細な説明】
【技術分野】
【０００１】
本発明は、コルゲートチューブの固定機能を有するプロテクタのワイヤハーネス引出部構造に関するものである。
【背景技術】
【０００２】
プロテクタからのワイヤハーネス引き出し部分に、保護のためにコルゲートチューブを装着することが多く行なわれている。その場合、プロテクタのワイヤハーネス引出部には、コルゲートチューブを外れないようにするため、コルゲートチューブの外周の凹溝（谷部）に係合する固定リブが設けられている。
【０００３】
特許文献１に記載のプロテクタの場合、ワイヤハーネス引出部に２条の本固定リブと、それら２条の本固定リブの間に位置する２条の仮固定リブとを設け、２条の仮固定リブの間に、コルゲートチューブの凸条（山部）の外周面に押圧する押圧壁を設けている。
【０００４】
２条の仮固定リブとその間の１個の押圧壁は、プロテクタ本体の上面開口を蓋体で塞いで本固定リブによりコルゲートチューブを本固定するまでの間、コルゲートチューブが上面開口側へ外れないように仮固定しておくためのものである。
【０００５】
【特許文献１】特開２００４−２２９３５１号公報（図５、図６）
【発明の開示】
【発明が解決しようとする課題】
【０００６】
上述のように、従来では、２条の仮固定リブとそれらの間の１個の押圧壁とでコルゲートチューブを仮固定するようにしており、仮固定する長さとして、コルゲートチューブの３山分の長さが必要であった。
【０００７】
本発明は、上述した事情に鑑みてなされたものであり、その目的は、コルゲートチューブを仮固定するのに必要な長さを短くすることで、プロテクタの小型化を図り、省資源化に寄与することのできるワイヤハーネス引出部構造を提供することにある。
【課題を解決するための手段】
【０００８】
前述した目的を達成するために、本発明に係るワイヤハーネス引出部構造は、
上面が開口しその上面開口からワイヤハーネスおよび該ワイヤハーネスの外周に装着したコルゲートチューブが挿入される断面Ｕ字形の本体と、該本体の上に被せることで前記本体の上面開口を塞ぐ蓋体とを有し、
前記本体の内周と前記蓋体の内面に、前記コルゲートチューブの外周の凹溝に係合することで、該コルゲートチューブの軸方向の移動を規制する本固定リブが設けられ、
該本固定リブは、前記コルゲートチューブの１つ置いて離れた２つの前記凹溝に対応する位置に２条設けられ、
前記本体側の本固定リブは、対向側壁上の上半部の該本固定リブ間の間隔が一定寸法となるように、前記本体の内周に沿ってＵ字状に形成され、
前記本体の内周の対向側壁上に、前記２条の本固定リブの中間に位置させて、前記コルゲートチューブの外周の凹溝に係合する１条の仮固定リブが設けられ、
該仮固定リブは、前記コルゲートチューブの凹溝に係合することで、前記上面開口側へのコルゲートチューブの移動を仮固定できるように、対向側壁上の該仮固定リブ間の間隔が上に行くほど狭く形成され、
更に、前記仮固定リブとその両側の前記本固定リブとの間に、前記仮固定リブの係合する前記コルゲートチューブの凹溝の両隣りの凸条の外周面に押圧する押圧壁が設けられ、
該押圧壁は、前記コルゲートチューブの凸条の外周面に押圧することで、前記上面開口側へのコルゲートチューブの移動を仮固定できるように、対向側壁上の該押圧壁間の間隔が上に行くほど狭く形成されていることを特徴としている。
【０００９】
上記構成のワイヤハーネス引出部構造によれば、コルゲートチューブの仮固定を、１条の仮固定リブとその両側の押圧壁とで行なうようにしているので、仮固定に必要な範囲を、コルゲートチューブの３山分から２山分に変更することができ、１山分を短縮することができる。従って、プロテクタのワイヤハーネス引出部の長さの短縮化を図ることができ、それだけ省資源化に寄与することができる。また、ワイヤハーネス引出部の長さの短縮が可能となることにより、プロテクタ内の電線収容容量の増加を図ることができるか、または、車両にプロテクタを組み付けた際のワイヤハーネスの取り回しの自由度を高めることができる。
【発明の効果】
【００１０】
本発明によれば、コルゲートチューブを仮固定するのに必要な長さを短くすることができ、それによりプロテクタの小型化を図り、省資源化に寄与することができる。
【００１１】
以上、本発明について簡潔に説明した。更に、以下に説明される発明を実施するための最良の形態を添付の図面を参照して通読することにより、本発明の詳細は更に明確化されるであろう。
【発明を実施するための最良の形態】
【００１２】
以下、本発明に係る好適な実施形態を図面に基づいて詳細に説明する。
【００１３】
図１（ａ）および（ｂ）は本発明の実施形態のワイヤハーネス引出部構造を示し、図１（ａ）は蓋体を開いた状態の斜視図、そして図１（ｂ）は本体側の拡大平面図である。また、図２は図１（ｂ）のＩＩ−ＩＩ矢視断面図である。このワイヤハーネス引出部１は、ワイヤハーネスを保護するプロテクタの一部として設けられ、本体１０と蓋体２０よりなる。本体１０はプロテクタ本体の一部として設けられ、蓋体２０はプロテクタ蓋体の一部として設けられている。
【００１４】
本体１０は、底壁１１と一対の側壁１２、１３とからなり、上面が開口した断面Ｕ字状をなしている。蓋体２０は、本体１０の上に被せることで本体１０の上面開口を塞ぐ板状体２２として構成されている。本体１０と蓋体２０は、ヒンジ２１で連結されることで一体の樹脂成形部品として構成されており、ヒンジ２１を屈曲させて蓋体２０を回動させることにより、本体１０の上面開口を塞ぐことができ、図示しないロック機構により、蓋体２０と本体１０は閉じた状態でロックされるようになっている。
【００１５】
このワイヤハーネス引出部１には、出口付近に位置させて、コルゲートチューブ固定手段としての以下の構造が設けられている。
【００１６】
まず、本体１０の内周と蓋体２０の内面に、コルゲートチューブ５０の外周の凹溝５０Ｖに係合することで、該コルゲートチューブ５０の軸方向の移動を規制する本固定リブ１４、２４が設けられている。本固定リブ１４、２４は、コルゲートチューブ５０の１つ置いて離れた２つの凹溝５０Ｖに対応する位置に２条設けられている。
【００１７】
本体１０側の本固定リブ１４は、対向側壁１２、１３上の上半部の本固定リブ１４間の間隔が一定寸法となるように、本体１０の内周に沿ってＵ字状に形成されている。
【００１８】
また、本体１０の内周の対向側壁１２、１３上には、前記２条の本固定リブ１４の中間に位置させて、コルゲートチューブ５０の外周の凹溝５０Ｖに係合する１条の仮固定リブ１５が設けられている。仮固定リブ１５は、コルゲートチューブ５０の凹溝５０Ｖに係合することで、本体１０の上面開口側へのコルゲートチューブ５０の移動を仮固定できるように、対向側壁１２、１３上の仮固定リブ１５間の間隔が上に行くほど狭く形成されている。
【００１９】
更に、前記仮固定リブ１５とその両側の本固定リブ１４との間には、仮固定リブ１５の係合するコルゲートチューブ５０の凹溝５０Ｖの両隣りの凸条５０Ｔの外周面に押圧する押圧壁１６が設けられている。これら押圧壁１６は、コルゲートチューブ５０の凸条５０Ｔの外周面に押圧することで、本体１０の上面開口側へのコルゲートチューブ５０の移動を仮固定できるように、対向側壁１２、１３上の押圧壁１６間の間隔が上に行くほど狭く形成されている。
【００２０】
尚、図１（ａ）および（ｂ）において参照符号１９で示すものは、仮固定リブ１５や押圧壁１６を成形するための型抜き孔である。
【００２１】
次に作用を説明する。
このワイヤハーネス引出部１を使用する場合は、図１（ａ）に示すように蓋体２０を開いた状態で、上面開口から本体１０内にワイヤハーネス（図示略）およびコルゲートチューブ５０を挿入する。その際、コルゲートチューブ５０の凹溝５０Ｖを本固定リブ１４および仮固定リブ１５に係合させる。そうすると、コルゲートチューブ５０の凸条５０Ｔの外周面が押圧壁１６に当たる。その状態においては、仮固定リブ１５および押圧壁１６の上端側の間隔が狭まっているので、コルゲートチューブ５０が上方へ抜け止めされて仮固定される。
【００２２】
次いで、本体１０の上に蓋体２０を被せてロックする。そうすると、本体１０と蓋体２０の本固定リブ１４、２４がコルゲートチューブ５０の凹溝５０Ｖに嵌まり、コルゲートチューブ５０が本固定される。
【００２３】
この場合、コルゲートチューブ５０の仮固定を、１条の仮固定リブ１５とその両側の押圧壁１６とで行なうようにしているので、仮固定に必要な範囲を、コルゲートチューブ５０の２山分にすることができる。尚、単純に１条の仮リブ１５でコルゲートチューブ５０を押さえるだけだと、コルゲートチューブ５０を組み付ける際に、コルゲートチューブ５０に傷を付けるおそれがあるが、両隣りの押圧壁１６で凸条５０Ｔの外周面を押圧することにより、無理なくコルゲートチューブ５０を仮係止することができる。
【００２４】
図３（ａ）および（ｂ）は本発明の実施形態の優位性を説明するための参考例を示す図である。尚、図３（ａ）は図１（ａ）と対応し、そして図３（ｂ）は図１（ｂ）と対応している。
【００２５】
このワイヤハーネス引出部１００は、本体１１０と蓋体１２０とから構成され、本体１１０と蓋体１２０はヒンジ１２１で連結されている。本体１１０は、底壁１１１と一対の側壁１１２、１１３からなる断面Ｕ字状をなし、蓋体１２０は板状体１２２よりなる。
【００２６】
本体１１０の内周と蓋体１２０の内面には、コルゲートチューブ５０の外周の凹溝５０Ｖに係合することで、該コルゲートチューブ５０の軸方向の移動を規制する本固定リブ１１４、１２４が設けられている。本固定リブ１１４、１２４は、コルゲートチューブ５０の２つ置いて離れた２つの凹溝５０Ｖに対応する位置に２条設けられている。
【００２７】
本体１１０側の本固定リブ１１４は、対向側壁１１２、１１３上の上半部の本固定リブ１１４間の間隔が一定寸法となるように、本体１１０の内周に沿ってＵ字状に形成されている。
【００２８】
また、本体１１０の内周の対向側壁１１２、１１３上には、前記２条の本固定リブ１１４の間に位置させて、コルゲートチューブ５０の外周の凹溝５０Ｖに係合する２条の仮固定リブ１１５が設けられている。仮固定リブ１１５は、コルゲートチューブ５０の凹溝５０Ｖに係合することで、本体１１０の上面開口側へのコルゲートチューブ５０の移動を仮固定できるように、対向側壁１１２、１１３上の仮固定リブ１１５間の間隔が上に行くほど狭く形成されている。
【００２９】
更に、前記２条の仮固定リブ１１５の間には、仮固定リブ１１５の係合するコルゲートチューブ５０の２条の凹溝５０Ｖの間の凸条５０Ｔの外周面に押圧する押圧壁１１６が設けられている。この押圧壁１１６は、コルゲートチューブ５０の凸条５０Ｔの外周面に押圧することで、本体１１０の上面開口側へのコルゲートチューブ５０の移動を仮固定できるように、対向側壁１１２、１１３上の押圧壁１１６間の間隔が上に行くほど狭く形成されている。
【００３０】
この参考例のワイヤハーネス引出部１００の場合、コルゲートチューブ５０の仮固定を２本の仮固定リブ１１５と、それらの間に設けた１つの押圧壁１１６とで行なうようにしている。従って、仮固定に必要な長さは、コルゲートチューブ５０の３山分の長さとなる。
【００３１】
それに対し、本発明の実施形態のワイヤハーネス引出部１では、上述のように、コルゲートチューブ５０の仮固定を、１条の仮固定リブ１５とその両側の押圧壁１６とで行なうようにしているので、仮固定に必要な範囲を、コルゲートチューブ５０の３山分から２山分に変更することができ、１山分を短縮することができる。
【００３２】
従って、プロテクタのワイヤハーネス引出部１の長さの短縮化を図ることができ、それだけ省資源化に寄与することができる。また、ワイヤハーネス引出部１の長さの短縮が可能となることにより、プロテクタ内の電線収容容量の増加を図ることができるか、または、車両にプロテクタを組み付けた際のワイヤハーネスの取り回しの自由度を高めることができる。
【００３３】
尚、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【図面の簡単な説明】
【００３４】
【図１】本発明の実施形態のワイヤハーネス引出部構造を示し、（ａ）は蓋体を開いた状態の斜視図、そして（ｂ）は本体側の拡大平面図である。
【図２】図１（ｂ）のＩＩ−ＩＩ矢視断面図である。
【図３】本発明の実施形態の優位性を説明するための参考例のワイヤハーネス引出部構造を示す図であり、（ａ）は蓋体を開いた状態の斜視図、そして（ｂ）は本体側の拡大平面図である。
【符号の説明】
【００３５】
１：ワイヤハーネス引出部
１０：本体
１２，１３：側壁
１４：本固定リブ
１５：仮固定リブ
１６：押圧壁
２０：蓋体
２４：本固定リブ
５０：コルゲートチューブ
５０Ｖ：凹溝
５０Ｔ：凸条
【図１】
0004871812.tif 000002
【図２】
0004871812.tif 000003
【図３】
0004871812.tif 000004